(57)【要約】  カメラにクリップ用メタ情報等の情報を自動的に設定可能とする。  カメラは、ネットワークを介してサーバに位置情報を送信する。カメラは、この位置情報で示される位置の近傍に位置する携帯端末を所持する特定人に関連した情報をサーバからネットワークを介して受信する。例えば、特定人は、カメラを用いて取材をする取材者であり、特定人に関連した情報は、取材者に係る取材情報である。また、例えば、特定人は、カメラを操作するカメラマンであり、特定人に関連した情報は、カメラマンに係るカメラ設定情報である。
2018123714.tif 000002
【特許請求の範囲】
【請求項１】
ネットワークを介してサーバに位置情報を送信する情報送信部と、
上記位置情報で示される位置の近傍に位置する携帯端末を所持する特定人に関連した情報を上記サーバから上記ネットワークを介して受信する情報受信部を備える
カメラ。
【請求項２】
上記特定人は、上記カメラを用いて取材をする取材者であり、
上記特定人に関連した情報は、上記取材者に係る取材情報であり、
上記受信された情報を、撮像クリップデータに付加するためのメタ情報として保持する情報保持部をさらに備える
請求項１に記載のカメラ。
【請求項３】
上記特定人は、上記カメラを操作するカメラマンであり、
上記特定人に関連した情報は、上記カメラマンに係るカメラ設定情報であり、
上記受信された情報に基づいてカメラ設定を行うカメラ制御部をさらに備える
請求項１に記載のカメラ。
【請求項４】
上記情報送信部は、電源オン時に上記位置情報を上記サーバに送る
請求項１に記載のカメラ。
【請求項５】
情報送信部が、ネットワークを介してサーバに位置情報を送信する情報送信ステップと、
受信部が、上記位置情報で示される位置の近傍に位置する携帯端末を所持する特定人に関連した情報を上記サーバから上記ネットワークを介して受信する受信ステップを有する
カメラの処理方法。
【請求項６】
特定の複数人が所持する携帯端末および特定の一個または複数個のカメラとネットワークを通じて通信をする通信部と、
上記特定の複数人にそれぞれ関連した情報を保持する情報保持部と、
上記特定の一個または複数個のカメラのうちの一つのカメラからの位置情報があるとき、該位置情報と上記特定の複数人が所持する携帯端末からの位置情報に基づいて、上記一つのカメラの近傍に上記特定の複数人が所持する携帯端末のうちの一つが存在するマッチング状態にあるかを判断する状態判断部を備え、
上記通信部は、上記マッチング状態にあると判断されるとき、上記一つのカメラの近傍に位置する上記一つの携帯端末の所持者に関連した情報を上記一つのカメラに送信する
サーバ。
【請求項７】
上記特定の複数人は、それぞれ、上記一個または複数個のカメラのうちのいずれか一つを用いて取材をする取材者であり、
上記特定の複数人にそれぞれ関連した情報は、上記取材者に係る取材情報である
請求項６に記載のサーバ。
【請求項８】
上記複数のカメラのうちどのカメラが上記マッチング状態にあるかを示すＵＩ画面の表示信号を生成する表示信号生成部をさらに備える
請求項６に記載のサーバ。
【請求項９】
上記ＵＩ画面では、上記マッチング状態にあるカメラが、該カメラで取材される取材の情報と関連付けて示される
請求項８に記載のサーバ。
【請求項１０】
上記特定の複数人は、それぞれ、上記一個または複数個のカメラのうちのいずれか一つを操作するカメラマンであり、
上記特定の複数人にそれぞれ関連した情報は、上記カメラマンに係るカメラ設定情報である
請求項６に記載のサーバ。
【請求項１１】
通信部が、特定の複数人が所持する携帯端末および特定の一個または複数個のカメラとネットワークを通じて通信をする通信ステップと、
状態判断部が、上記特定の一個または複数個のカメラのうちの一つのカメラからの位置情報があるとき、該位置情報と上記特定の複数人が所持する携帯端末からの位置情報に基づいて、上記一つのカメラの近傍に上記特定の複数人が所持する携帯端末のうちの一つが存在するマッチング状態にあるかを判断する状態判断ステップを有し、
上記通信ステップでは、上記マッチング状態にあると判断されるとき、上記一つのカメラの近傍に位置する上記一つの携帯端末の所持者に関連した情報を上記一つのカメラに送信する
サーバの処理方法。
【請求項１２】
ネットワークを介してサーバに位置情報を送信する情報送信部と、
上記位置情報に対応した取材情報を上記サーバから上記ネットワークを介して受信する情報受信部を備える
カメラ。
【請求項１３】
上記情報送信部は、電源オン時に上記位置情報を上記サーバに送る
請求項１２に記載のカメラ。
【請求項１４】
上記受信された取材情報を、撮像クリップデータに付加するためのメタ情報として保持する情報保持部をさらに備える
請求項１２に記載のカメラ。
【請求項１５】
情報送信部が、ネットワークを介してサーバに位置情報を送信する情報送信ステップと、
情報受信部が、上記位置情報に対応した取材情報を上記サーバから上記ネットワークを介して受信する情報受信ステップを有する
カメラの処理方法。
【請求項１６】
特定の一個または複数個のカメラとネットワークを通じて通信をする通信部と、
位置情報に関連付けて取材情報を保持する情報保持部を備え、
上記通信部は、上記特定の一個または複数個のカメラのうちの一つのカメラからの位置情報があるとき、該位置情報に対応する取材情報を上記一つのカメラに送信する
サーバ。
【請求項１７】
通信部が、特定の一個または複数個のカメラとネットワークを通じて通信をする通信ステップを有し、
上記通信ステップでは、上記特定の一個または複数個のカメラのうちの一つのカメラから位置情報があるとき、該位置情報に対応する取材情報を上記一つのカメラに送信する
サーバの処理方法。
【請求項１８】
ネットワークを介してサーバに位置情報を送信する情報送信部と、
上記位置情報で示される位置の近傍に位置する携帯端末を所持する特定人に関連した情報を上記サーバから上記ネットワークを介して受信する情報受信部を備える
情報処理装置。
【請求項１９】
ネットワークを介してサーバに位置情報を送信する情報送信部と、
上記位置情報に対応した情報を上記サーバから上記ネットワークを介して受信する情報受信部を備える
情報処理装置。
【発明の詳細な説明】
【技術分野】
【０００１】
本技術は、カメラ、カメラの処理方法、サーバ、サーバの処理方法および情報処理装置に関する。
【背景技術】
【０００２】
放送用コンテンツ制作の取材を行うに際し、事前に取材内容が計画され、クリップ用メタ情報（取材情報）も事前に制作される。クリップ用メタ情報を、利用するカムコーダに登録する機能がある。しかし、どのカムコーダを利用するかは、計画時には決定してない場合が多く、決定しているのは取材者（取材クルーも含む）のみであり、機材情報は制作されたクリップ用メタ情報には入っていない場合が多い。そのため、クリップ用メタ情報を自動的にカムコーダに設定することができなかった。例えば、特許文献１には、ＧＰＳ情報から得られた撮像位置情報を、予め登録しておいた撮影者データと共に収録中の映像情報中に重畳して記録することが記載されている。
【先行技術文献】
【特許文献】
【０００３】
【特許文献１】特開平１０−２８５５０１号公報
【発明の概要】
【発明が解決しようとする課題】
【０００４】
本技術の目的は、カメラにクリップ用メタ情報等の情報を自動的に設定可能とすることにある。
【課題を解決するための手段】
【０００５】
本技術の概念は、
ネットワークを介してサーバに位置情報を送信する情報送信部と、
上記位置情報で示される位置の近傍に位置する携帯端末を所持する特定人に関連した情報を上記サーバから上記ネットワークを介して受信する情報受信部を備える
カメラにある。【０００６】
本技術において、情報送信部により、ネットワークを介してサーバに位置情報が送信される。例えば、情報送信部は、電源オン時に位置情報をサーバに送る、ようにされてもよい。そして、情報受信部により、位置情報で示される位置の近傍に位置する携帯端末を所持する特定人に関連した情報がサーバからネットワークを介して受信される。【０００７】
このように本技術においては、サーバに位置情報を送信することで、そのサーバから位置情報で示される位置の近傍に位置する携帯端末を所持する特定人に関連した情報を受信し得る。そのため、カメラに特定人に関連した情報を自動的に設定することが可能となる。【０００８】
なお、本技術において、例えば、特定人は、カメラを用いて取材をする取材者であり、特定人に関連した情報は、取材者に係る取材情報であり、受信された情報を、撮像クリップデータに付加するためのメタ情報として保持する情報保持部をさらに備える、ようにされてもよい。この場合、カメラは取材者に係る取材情報を自動的に設定でき、この取材情報を撮像クリップデータに付加することが可能となる。【０００９】
また、本技術において、例えば、特定人は、カメラを操作するカメラマンであり、特定人に関連した情報は、カメラマンに係るカメラ設定情報であり、受信された情報に基づいてカメラ設定を行うカメラ制御部をさらに備える、ようにされてもよい。この場合、カメラを自動的にカメラマンに合った設定にすることが可能となる。【００１０】
また、本技術の他の概念は、
特定の複数人が所持する携帯端末および特定の一個または複数個のカメラとネットワークを通じて通信をする通信部と、
上記特定の複数人にそれぞれ関連した情報を保持する情報保持部と、
上記特定の一個または複数個のカメラのうちの一つのカメラからの位置情報があるとき、該位置情報と上記特定の複数人が所持する携帯端末からの位置情報に基づいて、上記一つのカメラの近傍に上記特定の複数人が所持する携帯端末のうちの一つが存在するマッチング状態にあるかを判断する状態判断部を備え、
上記通信部は、上記マッチング状態にあると判断されるとき、上記一つのカメラの近傍に位置する上記一つの携帯端末の所持者に関連した情報を上記一つのカメラに送信する
サーバにある。【００１１】
本技術において、通信部により、特定の複数人が所持する携帯端末および特定の一個または複数個のカメラとネットワークを通じて通信が行われる。情報保持部により、特定の複数人にそれぞれ関連した情報が保持される。【００１２】
状態判断部により、特定の一個または複数個のカメラのうちの一つのカメラからの位置情報があるとき、この位置情報と特定の複数人が所持する携帯端末からの位置情報に基づいて、一つのカメラの近傍に特定の複数人が所持する携帯端末のうちの一つが存在するマッチング状態にあるかが判断される。そして、通信部では、マッチング状態にあると判断されるとき、一つのカメラの近傍に位置する一つの携帯端末の所持者に関連した情報が上記一つのカメラに送信される。【００１３】
このように本技術においては、一つのカメラの近傍に特定の複数人が所持する携帯端末のうちの一つが存在するマッチング状態にあるとき、この一つのカメラの近傍に位置する一つの携帯端末の所持者に関連した情報をこの一つのカメラに送信するものである。そのため、カメラに特定人に関連した情報を自動的に設定することが可能となる。【００１４】
なお、本技術において、例えば、特定の複数人は、それぞれ、一個または複数個のカメラのうちのいずれか一つを用いて取材をする取材者であり、特定の複数人にそれぞれ関連した情報は、取材者に係る取材情報である、ようにされてもよい。これにより、カメラに取材者に係る取材情報を自動的に設定でき、この取材情報を撮像クリップデータに付加することが可能となる。【００１５】
この場合、例えば、複数のカメラのうちどのカメラがマッチング状態にあるかを示すＵＩ画面の表示信号を生成する表示信号生成部をさらに備える、ようにされてもよい。そして、この場合、ＵＩ画面では、マッチング状態にあるカメラが、そのカメラで取材される取材の情報と関連付けて示される、ようにされてもよい。【００１６】
また、本技術において、例えば、特定の複数人は、それぞれ、一個または複数個のカメラのうちのいずれか一つを操作するカメラマンであり、特定の複数人にそれぞれ関連した情報は、カメラマンに係るカメラ設定情報である、ようにされてもよい。これにより、カメラを自動的にカメラマンに合った設定にすることが可能となる。【００１７】
また、本技術の他の概念は、
ネットワークを介してサーバに位置情報を送信する情報送信部と、
上記位置情報に対応した取材情報を上記サーバから上記ネットワークを介して受信する情報受信部を備える
カメラにある。【００１８】
本技術において、情報送信部により、ネットワークを介してサーバに位置情報が送信される。例えば、情報送信部は、電源オン時に位置情報をサーバに送る、ようにされてもよい。そして、情報受信部により、位置情報に対応した取材情報がサーバからネットワークを介して受信される。例えば、受信された取材情報を、撮像クリップデータに付加するためのメタ情報として保持する情報保持部をさらに備える、ようにされてもよい。【００１９】
このように本技術においては、サーバに位置情報を送信することで、そのサーバから位置情報に対応した取材情報を受信し得る。そのため、取材情報を自動的に設定することが可能となる。【００２０】
また、本技術の他の概念は、
特定の一個または複数個のカメラとネットワークを通じて通信をする通信部と、
位置情報に関連付けて取材情報を保持する情報保持部を備え、
上記通信部は、上記特定の一個または複数個のカメラのうちの一つのカメラからの位置情報があるとき、該位置情報に対応する取材情報を上記一つのカメラに送信する
サーバにある。【００２１】
本技術において、通信部により、特定の一個または複数個のカメラとネットワークを通じて通信が行われる。情報保持部により、位置情報に関連付けて取材情報が保持される。そして、通信部では、特定の一個または複数個のカメラのうちの一つのカメラからの位置情報があるとき、この位置情報に対応する取材情報がこの一つのカメラに送信される。【００２２】
このように本技術においては、特定の一個または複数個のカメラのうちの一つのカメラからの位置情報があるとき、この位置情報に対応する取材情報をこの一つのカメラに送信するものである。そのため、カメラにそのカメラによる取材情報を自動的に設定することが可能となる。
【発明の効果】
【００２３】
本技術によれば、カメラにクリップ用メタ情報等の情報を自動的に設定できる。なお、本明細書に記載された効果はあくまで例示であって限定されるものではなく、また付加的な効果があってもよい。
【図面の簡単な説明】
【００２４】
【図１】実施の形態としてのカメラシステムの構成例を示すブロック図である。
【図２】取材者毎の取材情報（クリップ用メタ情報）の一例を概略的に示す図である。
【図３】カメラマン毎のカメラ設定情報の一例を概略的に示す図である。
【図４】カムコーダの構成例を示すブロック図である。
【図５】クラウドサーバの構成例を示すブロック図である。
【図６】カムコーダにそのカムコーダを用いて取材する取材者に係る取材情報をクラウドサーバから自動的に送信する場合における動作例を示すシーケンス図である。
【図７】ＵＩ画面の一例を示す図（全てのカムコーダがオフライン状態）である。
【図８】ＵＩ画面の一例を示す図（一部のカムコーダがオンライン状態）である。
【図９】ＵＩ画面の一例を示す図（一部のカムコーダがマッチング状態にあることの表示、当該カムコーダへの取材情報が送信済みであることの表示）である。
【図１０】カムコーダにそのカムコーダを操作するカメラマンに係るカメラ設定情報をクラウドサーバから自動的に送信する場合における動作例を示すシーケンス図である。
【図１１】カムコーダにそのカムコーダで取材される取材の情報をクラウドサーバから自動的に送信する場合における動作例を示すシーケンス図である。
【図１２】車両制御システムの概略的な構成の一例を示すブロック図である。
【図１３】車外情報検出部及び撮像部の設置位置の一例を示す説明図である。
【発明を実施するための形態】
【００２５】
以下、発明を実施するための形態（以下、「実施の形態」とする）について説明する。なお、説明を以下の順序で行う。
１．第１の実施の形態
２．第２の実施の形態
３．応用例
４．変形例
【００２６】
＜１．第１の実施の形態＞
［カメラシステムの構成例］
図１は、実施の形態としてのカメラシステム１０の構成例を示している。このカメラシステム１０は、テレビ局側にニュースルームコンピュータシステム１０１と、クライアントＰＣ１０２と、クリップ受信サーバ１０３と、コンテンツマネジメントシステム１０４と、通信部としてのネットワークインタフェース１０５を有している。
【００２７】
また、このカメラシステム１０は、インターネット等のネットワーク２００と、クラウドサーバ２０１と、カメラとしてのカムコーダ３０１と、携帯端末としてのスマートフォン３０２，３０３を有している。なお、図示の例においては、カムコーダ３０１が１個だけ示されているが、テレビ局で取材に利用し得る１個または複数個、この実施の形態では５個のカムコーダ３０１が存在している。なお、携帯端末は、スマートフォンに限定されるものではないが、従来周知の位置情報を取得する機能は必要である。スマートフォン３０２，３０３の詳細構成の説明は省略するが、この実施の形態において、電源オン状態にあるスマートフォン３０２，３０３で取得された位置情報は、ネットワーク２００を介してクラウドサーバ２０１に送られる。
【００２８】
また、図示の例において、スマートフォン３０２，３０３がそれぞれ１個だけ示されているが、スマートフォン３０２に関しては、上述のカムコーダ３０１を操作し得るカメラマンの人数分だけ存在し、スマートフォン３０３に関しては、カムコーダ３０１を用いて取材する取材者（ジャーナリスト）の人数分だけ存在している。
【００２９】
この実施の形態では、カメラマンの人数と取材者の人数はいずれも５であるとする。ここで、取材者の一人は、単純に人間一人を意味するだけでなく、複数の人からなる取材クルーの一つをも意味するものとする。取材は、例えば、破線枠で囲って示すように、カムコーダ３０１と、カメラマンと、取材者とがセットとなって行われる。
【００３０】
ニュースルームコンピュータシステム１０１は、取材内容を計画し、取材者毎の取材情報（クリップ用メタ情報）を作成し、この取材情報をネットワークインタフェース１０５およびネットワークネット２００を通じて、クラウドサーバ２０１にアップロードする。
【００３１】
図２は、取材者毎の取材情報（クリップ用メタ情報）の一例を概略的に示している。この取材情報には、「日付」、「取材者ＩＤ」、「取材者」、「取材ＩＤ」、「取材タイトル」、「取材場所」の各情報が含まれる。なお、取材情報に含まれる情報は、これに限定されるものではなく、この中の一部の情報だけが含まれるか、あるいはこれ以外の他の情報がさらに含まれてもよい。
【００３２】
図１に戻って、クライアントＰＣ１０２は、クラウドサーバ２０１からネットワーク２００およびネットワークインタフェース１０５を介してＵＩ画面表示信号を受け取り、ＵＩ画面を表示する。テレビ局側では、詳細は後述するが、このＵＩ画面から、５台のカムコーダ３０１のいずれがオンライン状態（電源オンの状態）になっているか、さらには、どのカメラがどの取材をするために用いられるかなどの確認が可能となる。
【００３３】
また、クライアントＰＣ１０２は、カメラマン毎のカメラ設定情報を作成し、このカメラ設定情報をネットワークインタフェース１０５およびネットワークネット２００を通じて、クラウドサーバ２０１にアップロードする。なお、このカメラマン毎のカメラ設定情報の作成、アップロードは、クライアントＰＣ１０２で行うのではなく、他の箇所で行ってもよい。例えば、各カメラマンが、カムコーダ３０１で実際にカメラ設定を行って、そのカメラ設定情報をカムコーダ３０１から直接ネットワーク２００を介してクラウドサーバ２０１にアップロードすることも考えられる。
【００３４】
図３は、カメラマン毎のカメラ設定情報の一例を概略的に示している。このカメラ設定情報には、「カメラマンＩＤ」、「設定情報」の各情報が含まれる。例えば、「設定情報」には、アサイナブルボタン設定、ビューファインダ設定、ファイルフォーマット設定などの情報が含まれる。
【００３５】
図１に戻って、クリップ受信サーバ１０３は、カムコーダ３０１で撮像して得られた撮像クリップデータ（ＡＶデータファイル）を、ネットワーク２００およびネットワークインタフェース１０５を介して受信する。コンテンツマネジメントシステム１０４は、クリップ受信サーバ１０３で受信された撮像クリップデータを管理する。
【００３６】
図４は、カムコーダ３０１の構成例を示している。このカムコーダ３０１は、制御部３１１と、ユーザ操作部３１２と、撮像部３１３と、撮像信号処理部３１４と、画像圧縮エンコーダ３１５と、記録部３１６と、位置情報取得部３１７と、ネットワークインタフェース３１８を有している。
【００３７】
制御部３１１は、カムコーダ３０１の各部の動作を制御する。この制御部３１１は、ＣＰＵの他に、メモリ３１１ａを備えている。ユーザ操作部３１２は、制御部３１１に接続されており、ユーザによる種々の操作を受け付けるユーザーインタフェースを構成している。
【００３８】
撮像部３１３は、図示しない撮像レンズおよび撮像素子を有しており、画像を撮像し、撮像信号を出力する。撮像素子は、ＣＣＤ(Charged Coupled Device)、ＣＭＯＳ(Complementary Metal-Oxide Semiconductor)等の撮像素子である。撮像信号処理部３１４は、撮像部３１３から出力される撮像信号（アナログ信号）に対して、サンプルホールドおよび利得制御、アナログ信号からデジタル信号への変換、さらにホワイトバランス調整、ガンマ補正等を行って、撮像画像データを生成する。
【００３９】
画像圧縮エンコーダ３１５は、撮像信号処理部３１４で生成された撮像画像データに対して、例えば、ＭＰＥＧ方式によりデータ圧縮処理を行って、撮像クリップデータを生成する。記録部３１６は、画像圧縮エンコーダ３１５で得られた撮像クリップデータを一時的に記録する。位置情報取得部３１７は、ＧＰＳ（Global Positioning System）衛星からの電波を受信してカムコーダ３０１の位置（経度・緯度・高度）の情報を得る。
【００４０】
ネットワークインタフェース３１８は、通信部を構成し、ネットワーク２００を介してクラウドサーバ２０１との間で通信をする。この実施の形態において、ネットワークインタフェース３１８は、電源オン時に、位置情報取得部３１７で取得された位置情報をクラウドサーバ２０１に送る。電源オン状態にあるスマートフォン３０２，３０３からも、当該スマートフォン３０２，３０３で取得された位置情報がクラウドサーバ２０１にネットワーク２００を介して送られてくる。これにより、クラウドサーバ２０１では、後述するように、位置情報を送ってきたカムコーダ３０１とマッチング状態にあるスマートフォン３０２，３０３が存在するか判断される。
【００４１】
また、ネットワークインタフェース３１８は、画像圧縮エンコーダ３１５で得られた撮像画像データをストリーミングデータとしてクラウドサーバ２０１に送る。これにより、クラウドサーバ２０１では、例えば、後述するように、この撮像画像データからＵＩ画面に載せるサムネイル画像のデータが生成される。
【００４２】
また、ネットワークインタフェース３１８は、自身のカムコーダ３０１の近傍に位置し、自身のカムコーダ３０１とマッチング状態にあるスマートフォン３０３を所持している取材者（自身のカムコーダ３０１を用いて取材をする取材者と見なされる）に係る取材情報を、クラウドサーバ２０１から受け取る。この取材情報は、撮像クリップデータに付加するためのメタ情報として、メモリ３１１ａに保持される。
【００４３】
また、ネットワークインタフェース３１８は、自身のカムコーダ３０１の近傍に位置し、自身のカムコーダ３０１とマッチング状態にあるスマートフォン３０２を所持しているカメラマン（自身のカムコーダ３０１を操作するカメラマンと見なされる）に係るカメラ設定情報を、クラウドサーバ２０１から受け取る。制御部３１１は、このように受け取ったカメラ設定情報に基づいてカメラ設定をする。
【００４４】
また、ネットワークインタフェース３１８は、ネットワーク２００を介してネットワークインタフェース１０５と通信をする。これにより、記録部３１６に記録されている撮像クリップデータが、ネットワーク２００およびネットワークインタフェース１０５を通じて、クリップ受信サーバ１０３に送られて保持される。この場合、撮像クリップデータには、メモリ３１１ａに保持されている取材情報がメタ情報として付加される。
【００４５】
図５は、クラウドサーバ２０１の構成例を示している。このクラウドサーバ２０１は、ＣＰＵ２１１と、ＲＯＭ２１２と、ＲＡＭ２１３と、入出力インタフェース２１４と、入力部２１５と、出力部２１６と、記憶部２１７と、ドライブ２１８と、ネットワークインタフェース２１９を有している。
【００４６】
このクラウドサーバ２０１において、ＣＰＵ２１１、ＲＯＭ２１２、ＲＡＭ２１３は、バスにより相互に接続されている。このバスには、さらに、入出力インタフェース２１４が接続されている。入出力インタフェース２１４には、入力部２１５、出力部２１６、記憶部２１７、ドライブ２１８が接続されている。ＣＰＵ２１１は、クラウドサーバ２０１の各部の動作を制御する。
【００４７】
入力部２１５は、キーボード、マウス、マイクロホン等により構成されている。出力部２１６は、ディスプレイ、スピーカ等により構成されている。記憶部２１７は、ＨＤＤ(Hard Disk Drive)、不揮発性メモリ等により構成されている。ドライブ２１８は、磁気ディスク、光ディスク、光磁気ディスク、あるいはメモリカード等のリムーバブルメディアを駆動する。
【００４８】
また、バスには、ネットワークインタフェース２１９が接続されている。このネットワークインタフェース２１９は、ネットワーク２００を介してカムコーダ３０１やスマートフォン３０２，３０３と通信をする。この実施の形態において、ネットワークインタフェース２１９は、スマートフォン３０２，３０３からその位置を示す位置情報を受信する。この位置情報は、スマートフォン３０２，３０３でＧＰＳ衛星からの電波を受信して得られた位置（経度・緯度・高度）の情報である。
【００４９】
また、ネットワークインタフェース２１９は、カムコーダ３０１から位置情報を受信する。ＣＰＵ２１１は、あるカムコーダ３０１から位置情報を受信したとき、この位置情報と、上述のスマートフォン３０３から受信された位置情報とに基づいて、そのカムコーダ３０１の近傍、例えばＮメートル以内に一つのスマートフォン３０３が存在するときは、そのカムコーダ３０１はその一つのスマートフォン３０３とマッチング状態にあると判断する。ここで、Ｎは、ユーザにより、任意の値に設定可能とされてもよい。
【００５０】
この場合、その一つのスマートフォン３０３を所持している取材者は、そのカムコーダ３０１を用いて取材をするものと見なされる。そして、ＣＰＵ２１１の制御のもと、ネットワークインタフェース２１９は、当該マッチング状態にあるスマートフォン３０３の所持者（取材者）に関連した取材情報をそのカムコーダ３０１に送る。これにより、そのカムコーダ３０１では、その取材情報が撮像クリップデータに付加するためのメタ情報として保持される。
【００５１】
また、ＣＰＵ２１１は、あるカムコーダ３０１から位置情報を受信したとき、この位置情報と、上述のスマートフォン３０２から受信された位置情報とに基づいて、そのカムコーダ３０１の近傍、例えばＮメートル以内に一つのスマートフォン３０２が存在するときは、そのカムコーダ３０１はその一つのスマートフォン３０２とマッチング状態にあると判断する。ここで、Ｎは、ユーザにより、任意の値に設定可能とされてもよい。
【００５２】
この場合、その一つのスマートフォン３０２を所持しているカメラマンは、そのカムコーダ３０１を操作するものと見なされる。そして、ＣＰＵ２１１の制御のもと、ネットワークインタフェース２１９は、当該マッチング状態にあるスマートフォン３０２の所持者（カメラマン）に関連したカメラ設定情報をそのカムコーダ３０１に送る。これにより、そのカムコーダ３０１では、そのカメラ設定情報に基づいてカメラ設定がされる。
【００５３】
また、ネットワークインタフェース２１９は、オンライン状態にあるカムコーダ３０１から、撮像画像データをストリーミングデータとして受信する。ＣＰＵ２１１は、５台のカムコーダ３０１のいずれがオンライン状態（電源オンの状態）になっているか、さらには、どのカムコーダ３０１がどの取材をするために用いられるかなどの確認を可能とするためのＵＩ画面の表示信号を生成する。この際、ＣＰＵ２１１は、オンライン状態にあるカムコーダ３０１から送られてくる撮像画像データに基づいて、ＵＩ画面に載せるサムネイル画像のデータを生成する。
【００５４】
ネットワークインタフェース２１９は、ネットワーク２００を介してネットワークインタフェース１０５と通信をする。この実施の形態において、ネットワークインタフェース２１９は、ニュースルームコンピュータシステム１０１から、取材者毎の取材情報（クリップ用メタ情報）を受信する（図２参照）。この取材者毎の取材情報は、ＲＡＭ２１３あるいは記憶部２１７に保持される。
【００５５】
また、ネットワークインタフェース２１９は、クライアントＰＣ１０２から、カメラマン毎のカメラ設定情報を受信する（図３参照）。このカメラマン毎のカメラ設定情報は、ＲＡＭ２１３あるいは記憶部２１７に保持される。また、ネットワークインタフェース２１９は、クライアントＰＣ１０２に、ＵＩ画面の表示信号を送信する。これにより、クライアントＰＣ１０２では、ＵＩ画面の表示が可能となる。
【００５６】
カムコーダ３０１に、そのカムコーダ３０１を用いて取材する取材者に係る取材情報をクラウドサーバ２０１から自動的に送信する場合における動作例を、図６のシーケンス図を用いて説明する。
【００５７】
（１）ニュースルームコンピュータシステム１０１からクラウドサーバ２０１に取材者毎の取材情報が送信されて記憶される。この場合、クラウドサーバ２０１では、取材者毎の取材情報に基づいて、この取材者毎の取材情報を持つＵＩ画面の表示信号が生成され、図示のシーケンス図には示されていないが、その表示信号はクライアントＰＣ１０２に送られ、ＵＩ画面の表示が行われる。図７は、その場合におけるＵＩ表示例を示しており、下側に取材者毎の取材情報がリスト表示されている。
【００５８】
ここで、「取材ＩＤ」、「取材タイトル」、「取材者」の各情報は、ニュースルームコンピュータシステム１０１からクラウドサーバ２０１に送られる取材者毎の取材情報（図２参照）における「取材ＩＤ」、「取材タイトル」、「取材者」の各情報と同じものである。「利用カムコーダＮｏ．」の情報は、それぞれの取材を行うために利用されるカムコーダ３０１のシリアル番号（カムコーダＮｏ．）の情報であるが、この時点では解からないので“unknown”となっている。また、「Status」の情報は、そのカムコーダ３０１に取材情報の送信があったかを示す情報であるが、この時点では未だ送信されていないので“未送信”となっている。
【００５９】
また、このＵＩ画面の上側に、各カムコーダ３０１がオンラインになっているか否かをサムネイル画像で表示する箇所が存在する。この時点では、いずれのカムコーダ３０１もオフライン状態にあるので、「カムコーダＮｏ．」と共に“Offline”が表示され、サムネイル画像の表示はない。
【００６０】
（２）ニュースルームコンピュータシステム１０１からクリップ受信サーバ１０３に、上述の取材者毎の取材情報に対応した日付、取材タイトルの情報が送られる。これにより、クリップ受信サーバ１０３は、受け入れ待ち状態となる。
【００６１】
（３）スマートフォン３０３がオンライン状態となって、クラウドサーバ２０１にネットワーク２００を介して接続される。
（４）このスマートフォン３０３からクラウドサーバ２０１に、位置情報が送られる。この場合、位置情報には、スマートフォン３０３の所持者を識別するための「取材者ＩＤ」の情報が付加されている。
【００６２】
（５）カムコーダ３０１がオンライン状態となって、クラウドサーバ２０１にネットワーク２００を介して接続され、カムコーダ３０１からクラウドサーバ２０１に撮像画像データがストリーミングデータとして送られる。図８は、その場合におけるＵＩ表示例を示しており、「カムコーダＮｏ．」が“aaa000001”のカムコーダ３０１と「カムコーダＮｏ．」が“aaa000002”のカムコーダ３０１に対応してサムネイルが表示され、これらのカムコーダ３０１がオンライン状態にあることが示されている。
【００６３】
（６）このカムコーダ３０１からクラウドサーバ２０１に、位置情報が送られる。この場合、位置情報には、カムコーダ３０１を識別するための「カメラＩＤ」としてカムコーダ３０１のシリアル番号（カムコーダＮｏ．）が付加されている。クラウドサーバ２０１では、位置情報が送られてくるカムコーダ３０１毎に、マッチング判断が行われる。
【００６４】
すなわち、この位置情報と、上述のスマートフォン３０３から受信された位置情報とに基づいて、そのカムコーダ３０１の近傍、例えばＮメートル以内に一つのスマートフォン３０３が存在するときは、そのカムコーダ３０１はその一つのスマートフォン３０３とマッチング状態にあると判断される。
【００６５】
（７）マッチング状態にあると判断されるとき、クラウドサーバ２０１からカムコーダ３０１に、その一つのスマートフォン３０３を所持している取材者に関連した取材情報が送られる。これにより、そのカムコーダ３０１では、その取材情報が撮像クリップデータに付加するためのメタ情報として保持される。
【００６６】
図９は、その場合におけるＵＩ表示例を示している。この場合、「取材ＩＤ」が“bbb000001”である取材情報に対応して、「利用カムコーダＮｏ．」が“aaa000001”となり、このカムコーダ３０１がマッチング状態となったことが示され、このカムコーダ３０１が「取材ＩＤ」が“bbb000001”である取材に用いられることが示されている。また、「取材ＩＤ」が“bbb000001”である取材情報に対応して、「Status」が“送信済”となり、「利用カムコーダＮｏ．」が“aaa000001”であるカムコーダ３０１に、「取材ＩＤ」が“bbb000001”である取材情報が送信されたことが示されている。
【００６７】
（８）カムコーダ３０１からクリップ受信サーバ１０３に、撮像クリップデータが送信される。この場合、この撮像クリップデータには取材情報がクリップメタ情報として付加されている。これにより、クリップ受信サーバ１０３では、付加されている取材情報（クリップメタ情報）に基づいて、予め受け入れ待ち状態になっている撮像クリップデータの受け入れが行われる。
【００６８】
次に、カムコーダ３０１に、そのカムコーダ３０１を操作するカメラマンに係るカメラ設定情報をクラウドサーバ２０１から自動的に送信する場合における動作例を、図１０のシーケンス図を用いて説明する。
【００６９】
（１）クライアントＰＣ１０２からクラウドサーバ２０１にカメラマン毎のカメラ設定情報（図３参照）が送信され記憶される。
（２）スマートフォン３０２がオンライン状態となって、クラウドサーバ２０１にネットワーク２００を介して接続される。
（３）このスマートフォン３０２からクラウドサーバ２０１に、位置情報が送られる。この場合、位置情報には、スマートフォン３０２の所持者を識別するための「カメラマンＩＤ」の情報が付加されている。
【００７０】
（４）カムコーダ３０１がオンライン状態となって、クラウドサーバ２０１にネットワーク２００を介して接続される。
（５）このカムコーダ３０１からクラウドサーバ２０１に、位置情報が送られる。この場合、位置情報には、カムコーダ３０１を識別するための「カメラＩＤ」としてカムコーダ３０１のシリアル番号（カムコーダＮｏ．）が付加されている。クラウドサーバ２０１では、位置情報が送られてくるカムコーダ３０１毎に、マッチング判断が行われる。
【００７１】
すなわち、この位置情報と、上述のスマートフォン３０２から受信された位置情報とに基づいて、そのカムコーダ３０１の近傍、例えばＮメートル以内に一つのスマートフォン３０２が存在するときは、そのカムコーダ３０１はその一つのスマートフォン３０２とマッチング状態にあると判断される。
【００７２】
（６）マッチング状態にあると判断されるとき、クラウドサーバ２０１からカムコーダ３０１に、その一つのスマートフォン３０２を所持しているカメラマンに関連したカメラ設定情報が送られる。これにより、そのカムコーダ３０１では、そのカメラ設定情報に基づいて、カメラ設定が行われる。
（７）カムコーダ３０１からクリップ受信サーバ１０３に、撮像クリップデータが送信される。
【００７３】
上述したように、図１に示すカメラシステム１０においては、カムコーダ３０１は、クラウドサーバ２０１に位置情報を送信することで、そのクラウドサーバ２０１から位置情報で示される位置の近傍に位置するスマートフォン３０３を所持する取材者に関連した取材情報を受信して、撮像クリップデータに付加するクリップメタ情報として自動的に保持できる。
【００７４】
また、図１に示すカメラシステム１０においては、カムコーダ３０１は、クラウドサーバ２０１に位置情報を送信することで、そのクラウドサーバ２０１から位置情報で示される位置の近傍に位置するスマートフォン３０２を所持するカメラマンに関連したカメラ設定情報を受信して、自動的にカメラ設定できる。
【００７５】
また、図１に示すカメラシステム１０においては、クラウドサーバ２０１は、ＵＩ画面の表示信号を生成し、クライアントＰＣ１０２に送る。そのため、ユーザは、クライアントＰＣ１０２の表示されるＵＩ画面において、どのカムコーダ３０１がオンライン状態（電源オンの状態）になっているか、さらには、どのカムコーダ３０１がどの取材をするために用いられるかなどの確認を容易に行うことができる。
【００７６】
＜２．第２の実施の形態＞
上述した第１の実施の形態においては、クラウドサーバ２０１は、カムコーダ３０１からの位置情報とスマートフォン３０３からの位置情報とに基づいて、そのカムコーダ３０１の近傍に一つのスマートフォン３０３が存在するときは、そのカムコーダ３０１はその一つのスマートフォン３０３とマッチング状態にあると判断し、その一つのスマートフォン３０３を所持している取材者に関連した取材情報をそのカムコーダ３０１に送信する例を示した。
【００７７】
しかし、ニュースルームコンピュータシステム１０１から送られてくる取材者毎の取材情報には「取材場所」の情報も含まれているので（図２参照）、クラウドサーバ２０１は、この「取材場所」の情報を利用して、カムコーダ３０１からの位置情報に対応した取材情報を選択して、その取材情報をそのカムコーダ３０１に送信することも考えられる。
【００７８】
図１１のシーケンス図は、その場合における動作例を示している。
（１）ニュースルームコンピュータシステム１０１からクラウドサーバ２０１に取材者毎の取材情報（図２参照）が送信され記憶される。
【００７９】
（２）ニュースルームコンピュータシステム１０１からクリップ受信サーバ１０３に、上述の取材者毎の取材情報に対応した日付、取材タイトルの情報が送られる。これにより、クリップ受信サーバ１０３は、受け入れ待ち状態となる。
【００８０】
（３）カムコーダ３０１がオンライン状態となって、クラウドサーバ２０１にネットワーク２００を介して接続される。
（４）このカムコーダ３０１からクラウドサーバ２０１に、位置情報が送られる。この場合、位置情報には、カムコーダ３０１を識別するための「カメラＩＤ」としてカムコーダ３０１のシリアル番号（カムコーダＮｏ．）が付加されている。クラウドサーバ２０１では、位置情報が送られてくるカムコーダ３０１毎に、その位置情報で示される位置に対応する取材場所を持つ取材情報を選択する。
【００８１】
（５）クラウドサーバ３０１からカムコーダ３０１に、選択された取材情報が送られる。これにより、そのカムコーダ３０１では、その取材情報が撮像クリップデータに付加するためのメタ情報として保持される。
（６）カムコーダ３０１からクリップ受信サーバ１０３に、撮像クリップデータが送信される。この場合、この撮像クリップデータには取材情報がクリップメタ情報として付加されている。これにより、クリップ受信サーバ１０３では、付加されている取材情報（クリップメタ情報）に基づいて、予め受け入れ待ち状態になっている撮像クリップデータの受け入れが行われる。
【００８２】
＜３．応用例＞
本開示に係る技術は、様々な製品へ応用することができる。例えば、本開示に係る技術は、自動車、電気自動車、ハイブリッド電気自動車、自動二輪車、自転車、パーソナルモビリティ、飛行機、ドローン、船舶、ロボット、建設機械、農業機械（トラクター）などのいずれかの種類の移動体に搭載される装置として実現されてもよい。
【００８３】
図１２は、本開示に係る技術が適用され得る移動体制御システムの一例である車両制御システム７０００の概略的な構成例を示すブロック図である。車両制御システム７０００は、通信ネットワーク７０１０を介して接続された複数の電子制御ユニットを備える。図１２に示した例では、車両制御システム７０００は、駆動系制御ユニット７１００、ボディ系制御ユニット７２００、バッテリ制御ユニット７３００、車外情報検出ユニット７４００、車内情報検出ユニット７５００、及び統合制御ユニット７６００を備える。これらの複数の制御ユニットを接続する通信ネットワーク７０１０は、例えば、ＣＡＮ（Controller  Area  Network）、ＬＩＮ（Local  Interconnect  Network）、ＬＡＮ（Local  Area  Network）又はＦｌｅｘＲａｙ（登録商標）等の任意の規格に準拠した車載通信ネットワークであってよい。
【００８４】
各制御ユニットは、各種プログラムにしたがって演算処理を行うマイクロコンピュータと、マイクロコンピュータにより実行されるプログラム又は各種演算に用いられるパラメータ等を記憶する記憶部と、各種制御対象の装置を駆動する駆動回路とを備える。各制御ユニットは、通信ネットワーク７０１０を介して他の制御ユニットとの間で通信を行うためのネットワークＩ／Ｆを備えるとともに、車内外の装置又はセンサ等との間で、有線通信又は無線通信により通信を行うための通信Ｉ／Ｆを備える。図Ｅ１では、統合制御ユニット７６００の機能構成として、マイクロコンピュータ７６１０、汎用通信Ｉ／Ｆ７６２０、専用通信Ｉ／Ｆ７６３０、測位部７６４０、ビーコン受信部７６５０、車内機器Ｉ／Ｆ７６６０、音声画像出力部７６７０、車載ネットワークＩ／Ｆ７６８０及び記憶部７６９０が図示されている。他の制御ユニットも同様に、マイクロコンピュータ、通信Ｉ／Ｆ及び記憶部等を備える。
【００８５】
駆動系制御ユニット７１００は、各種プログラムにしたがって車両の駆動系に関連する装置の動作を制御する。例えば、駆動系制御ユニット７１００は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。駆動系制御ユニット７１００は、ＡＢＳ（Antilock  Brake  System）又はＥＳＣ（Electronic  Stability  Control）等の制御装置としての機能を有してもよい。
【００８６】
駆動系制御ユニット７１００には、車両状態検出部７１１０が接続される。車両状態検出部７１１０には、例えば、車体の軸回転運動の角速度を検出するジャイロセンサ、車両の加速度を検出する加速度センサ、あるいは、アクセルペダルの操作量、ブレーキペダルの操作量、ステアリングホイールの操舵角、エンジン回転数又は車輪の回転速度等を検出するためのセンサのうちの少なくとも一つが含まれる。駆動系制御ユニット７１００は、車両状態検出部７１１０から入力される信号を用いて演算処理を行い、内燃機関、駆動用モータ、電動パワーステアリング装置又はブレーキ装置等を制御する。
【００８７】
ボディ系制御ユニット７２００は、各種プログラムにしたがって車体に装備された各種装置の動作を制御する。例えば、ボディ系制御ユニット７２００は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット７２００には、鍵を代替する携帯機から発信される電波又は各種スイッチの信号が入力され得る。ボディ系制御ユニット７２００は、これらの電波又は信号の入力を受け付け、車両のドアロック装置、パワーウィンドウ装置、ランプ等を制御する。
【００８８】
バッテリ制御ユニット７３００は、各種プログラムにしたがって駆動用モータの電力供給源である二次電池７３１０を制御する。例えば、バッテリ制御ユニット７３００には、二次電池７３１０を備えたバッテリ装置から、バッテリ温度、バッテリ出力電圧又はバッテリの残存容量等の情報が入力される。バッテリ制御ユニット７３００は、これらの信号を用いて演算処理を行い、二次電池７３１０の温度調節制御又はバッテリ装置に備えられた冷却装置等の制御を行う。
【００８９】
車外情報検出ユニット７４００は、車両制御システム７０００を搭載した車両の外部の情報を検出する。例えば、車外情報検出ユニット７４００には、撮像部７４１０及び車外情報検出部７４２０のうちの少なくとも一方が接続される。撮像部７４１０には、ＴｏＦ（Time  Of  Flight）カメラ、ステレオカメラ、単眼カメラ、赤外線カメラ及びその他のカメラのうちの少なくとも一つが含まれる。車外情報検出部７４２０には、例えば、現在の天候又は気象を検出するための環境センサ、あるいは、車両制御システム７０００を搭載した車両の周囲の他の車両、障害物又は歩行者等を検出するための周囲情報検出センサのうちの少なくとも一つが含まれる。
【００９０】
環境センサは、例えば、雨天を検出する雨滴センサ、霧を検出する霧センサ、日照度合いを検出する日照センサ、及び降雪を検出する雪センサのうちの少なくとも一つであってよい。周囲情報検出センサは、超音波センサ、レーダ装置及びＬＩＤＡＲ（Light  Detection  and  Ranging、Laser  Imaging  Detection  and  Ranging）装置のうちの少なくとも一つであってよい。これらの撮像部７４１０及び車外情報検出部７４２０は、それぞれ独立したセンサないし装置として備えられてもよいし、複数のセンサないし装置が統合された装置として備えられてもよい。
【００９１】
ここで、図１３は、撮像部７４１０及び車外情報検出部７４２０の設置位置の例を示す。撮像部７９１０，７９１２，７９１４，７９１６，７９１８は、例えば、車両７９００のフロントノーズ、サイドミラー、リアバンパ、バックドア及び車室内のフロントガラスの上部のうちの少なくとも一つの位置に設けられる。フロントノーズに備えられる撮像部７９１０及び車室内のフロントガラスの上部に備えられる撮像部７９１８は、主として車両７９００の前方の画像を取得する。サイドミラーに備えられる撮像部７９１２，７９１４は、主として車両７９００の側方の画像を取得する。リアバンパ又はバックドアに備えられる撮像部７９１６は、主として車両７９００の後方の画像を取得する。車室内のフロントガラスの上部に備えられる撮像部７９１８は、主として先行車両又は、歩行者、障害物、信号機、交通標識又は車線等の検出に用いられる。
【００９２】
なお、図１３には、それぞれの撮像部７９１０，７９１２，７９１４，７９１６の撮影範囲の一例が示されている。撮像範囲ａは、フロントノーズに設けられた撮像部７９１０の撮像範囲を示し、撮像範囲ｂ，ｃは、それぞれサイドミラーに設けられた撮像部７９１２，７９１４の撮像範囲を示し、撮像範囲ｄは、リアバンパ又はバックドアに設けられた撮像部７９１６の撮像範囲を示す。例えば、撮像部７９１０，７９１２，７９１４，７９１６で撮像された画像データが重ね合わせられることにより、車両７９００を上方から見た俯瞰画像が得られる。
【００９３】
車両７９００のフロント、リア、サイド、コーナ及び車室内のフロントガラスの上部に設けられる車外情報検出部７９２０，７９２２，７９２４，７９２６，７９２８，７９３０は、例えば超音波センサ又はレーダ装置であってよい。車両７９００のフロントノーズ、リアバンパ、バックドア及び車室内のフロントガラスの上部に設けられる車外情報検出部７９２０，７９２６，７９３０は、例えばＬＩＤＡＲ装置であってよい。これらの車外情報検出部７９２０〜７９３０は、主として先行車両、歩行者又は障害物等の検出に用いられる。
【００９４】
図１２に戻って説明を続ける。車外情報検出ユニット７４００は、撮像部７４１０に車外の画像を撮像させるとともに、撮像された画像データを受信する。また、車外情報検出ユニット７４００は、接続されている車外情報検出部７４２０から検出情報を受信する。車外情報検出部７４２０が超音波センサ、レーダ装置又はＬＩＤＡＲ装置である場合には、車外情報検出ユニット７４００は、超音波又は電磁波等を発信させるとともに、受信された反射波の情報を受信する。車外情報検出ユニット７４００は、受信した情報に基づいて、人、車、障害物、標識又は路面上の文字等の物体検出処理又は距離検出処理を行ってもよい。車外情報検出ユニット７４００は、受信した情報に基づいて、降雨、霧又は路面状況等を認識する環境認識処理を行ってもよい。車外情報検出ユニット７４００は、受信した情報に基づいて、車外の物体までの距離を算出してもよい。
【００９５】
また、車外情報検出ユニット７４００は、受信した画像データに基づいて、人、車、障害物、標識又は路面上の文字等を認識する画像認識処理又は距離検出処理を行ってもよい。車外情報検出ユニット７４００は、受信した画像データに対して歪補正又は位置合わせ等の処理を行うとともに、異なる撮像部７４１０により撮像された画像データを合成して、俯瞰画像又はパノラマ画像を生成してもよい。車外情報検出ユニット７４００は、異なる撮像部７４１０により撮像された画像データを用いて、視点変換処理を行ってもよい。
【００９６】
車内情報検出ユニット７５００は、車内の情報を検出する。車内情報検出ユニット７５００には、例えば、運転者の状態を検出する運転者状態検出部７５１０が接続される。運転者状態検出部７５１０は、運転者を撮像するカメラ、運転者の生体情報を検出する生体センサ又は車室内の音声を集音するマイク等を含んでもよい。生体センサは、例えば、座面又はステアリングホイール等に設けられ、座席に座った搭乗者又はステアリングホイールを握る運転者の生体情報を検出する。車内情報検出ユニット７５００は、運転者状態検出部７５１０から入力される検出情報に基づいて、運転者の疲労度合い又は集中度合いを算出してもよいし、運転者が居眠りをしていないかを判別してもよい。車内情報検出ユニット７５００は、集音された音声信号に対してノイズキャンセリング処理等の処理を行ってもよい。
【００９７】
統合制御ユニット７６００は、各種プログラムにしたがって車両制御システム７０００内の動作全般を制御する。統合制御ユニット７６００には、入力部７８００が接続されている。入力部７８００は、例えば、タッチパネル、ボタン、マイクロフォン、スイッチ又はレバー等、搭乗者によって入力操作され得る装置によって実現される。統合制御ユニット７６００には、マイクロフォンにより入力される音声を音声認識することにより得たデータが入力されてもよい。入力部７８００は、例えば、赤外線又はその他の電波を利用したリモートコントロール装置であってもよいし、車両制御システム７０００の操作に対応した携帯電話又はＰＤＡ（Personal  Digital  Assistant）等の外部接続機器であってもよい。入力部７８００は、例えばカメラであってもよく、その場合搭乗者はジェスチャにより情報を入力することができる。あるいは、搭乗者が装着したウェアラブル装置の動きを検出することで得られたデータが入力されてもよい。さらに、入力部７８００は、例えば、上記の入力部７８００を用いて搭乗者等により入力された情報に基づいて入力信号を生成し、統合制御ユニット７６００に出力する入力制御回路などを含んでもよい。搭乗者等は、この入力部７８００を操作することにより、車両制御システム７０００に対して各種のデータを入力したり処理動作を指示したりする。
【００９８】
記憶部７６９０は、マイクロコンピュータにより実行される各種プログラムを記憶するＲＯＭ（Read  Only  Memory）、及び各種パラメータ、演算結果又はセンサ値等を記憶するＲＡＭ（Random  Access  Memory）を含んでいてもよい。また、記憶部７６９０は、ＨＤＤ（Hard  Disc  Drive）等の磁気記憶デバイス、半導体記憶デバイス、光記憶デバイス又は光磁気記憶デバイス等によって実現してもよい。
【００９９】
汎用通信Ｉ／Ｆ７６２０は、外部環境７７５０に存在する様々な機器との間の通信を仲介する汎用的な通信Ｉ／Ｆである。汎用通信Ｉ／Ｆ７６２０は、ＧＳＭ（登録商標）（Global  System  of  Mobile  communications）、ＷｉＭＡＸ（登録商標）、ＬＴＥ（登録商標）（Long  Term  Evolution）若しくはＬＴＥ−Ａ（LTE−Advanced）などのセルラー通信プロトコル、又は無線ＬＡＮ（Ｗｉ−Ｆｉ（登録商標）ともいう）、Ｂｌｕｅｔｏｏｔｈ（登録商標）などのその他の無線通信プロトコルを実装してよい。汎用通信Ｉ／Ｆ７６２０は、例えば、基地局又はアクセスポイントを介して、外部ネットワーク（例えば、インターネット、クラウドネットワーク又は事業者固有のネットワーク）上に存在する機器（例えば、アプリケーションサーバ又は制御サーバ）へ接続してもよい。また、汎用通信Ｉ／Ｆ７６２０は、例えばＰ２Ｐ（Peer  To  Peer）技術を用いて、車両の近傍に存在する端末（例えば、運転者、歩行者若しくは店舗の端末、又はＭＴＣ（Machine  Type  Communication）端末）と接続してもよい。
【０１００】
専用通信Ｉ／Ｆ７６３０は、車両における使用を目的として策定された通信プロトコルをサポートする通信Ｉ／Ｆである。専用通信Ｉ／Ｆ７６３０は、例えば、下位レイヤのＩＥＥＥ８０２．１１ｐと上位レイヤのＩＥＥＥ１６０９との組合せであるＷＡＶＥ（Wireless  Access  in  Vehicle  Environment）、ＤＳＲＣ（Dedicated  Short  Range  Communications）、又はセルラー通信プロトコルといった標準プロトコルを実装してよい。専用通信Ｉ／Ｆ７６３０は、典型的には、車車間（Vehicle  to  Vehicle）通信、路車間（Vehicle  to  Infrastructure）通信、車両と家との間（Vehicle  to  Home）の通信及び歩車間（Vehicle  to  Pedestrian）通信のうちの１つ以上を含む概念であるＶ２Ｘ通信を遂行する。
【０１０１】
測位部７６４０は、例えば、ＧＮＳＳ（Global  Navigation  Satellite  System）衛星からのＧＮＳＳ信号（例えば、ＧＰＳ（Global  Positioning  System）衛星からのＧＰＳ信号）を受信して測位を実行し、車両の緯度、経度及び高度を含む位置情報を生成する。なお、測位部７６４０は、無線アクセスポイントとの信号の交換により現在位置を特定してもよく、又は測位機能を有する携帯電話、ＰＨＳ若しくはスマートフォンといった端末から位置情報を取得してもよい。
【０１０２】
ビーコン受信部７６５０は、例えば、道路上に設置された無線局等から発信される電波あるいは電磁波を受信し、現在位置、渋滞、通行止め又は所要時間等の情報を取得する。なお、ビーコン受信部７６５０の機能は、上述した専用通信Ｉ／Ｆ７６３０に含まれてもよい。
【０１０３】
車内機器Ｉ／Ｆ７６６０は、マイクロコンピュータ７６１０と車内に存在する様々な車内機器７７６０との間の接続を仲介する通信インタフェースである。車内機器Ｉ／Ｆ７６６０は、無線ＬＡＮ、Ｂｌｕｅｔｏｏｔｈ（登録商標）、ＮＦＣ（Near  Field  Communication）又はＷＵＳＢ（Wireless  USB）といった無線通信プロトコルを用いて無線接続を確立してもよい。また、車内機器Ｉ／Ｆ７６６０は、図示しない接続端子（及び、必要であればケーブル）を介して、ＵＳＢ（Universal  Serial  Bus）、ＨＤＭＩ（登録商標）（High-Definition  Multimedia  Interface、又はＭＨＬ（Mobile  High-definition  Link）等の有線接続を確立してもよい。車内機器７７６０は、例えば、搭乗者が有するモバイル機器若しくはウェアラブル機器、又は車両に搬入され若しくは取り付けられる情報機器のうちの少なくとも１つを含んでいてもよい。また、車内機器７７６０は、任意の目的地までの経路探索を行うナビゲーション装置を含んでいてもよい。車内機器Ｉ／Ｆ７６６０は、これらの車内機器７７６０との間で、制御信号又はデータ信号を交換する。
【０１０４】
車載ネットワークＩ／Ｆ７６８０は、マイクロコンピュータ７６１０と通信ネットワーク７０１０との間の通信を仲介するインタフェースである。車載ネットワークＩ／Ｆ７６８０は、通信ネットワーク７０１０によりサポートされる所定のプロトコルに則して、信号等を送受信する。
【０１０５】
統合制御ユニット７６００のマイクロコンピュータ７６１０は、汎用通信Ｉ／Ｆ７６２０、専用通信Ｉ／Ｆ７６３０、測位部７６４０、ビーコン受信部７６５０、車内機器Ｉ／Ｆ７６６０及び車載ネットワークＩ／Ｆ７６８０のうちの少なくとも一つを介して取得される情報に基づき、各種プログラムにしたがって、車両制御システム７０００を制御する。例えば、マイクロコンピュータ７６１０は、取得される車内外の情報に基づいて、駆動力発生装置、ステアリング機構又は制動装置の制御目標値を演算し、駆動系制御ユニット７１００に対して制御指令を出力してもよい。例えば、マイクロコンピュータ７６１０は、車両の衝突回避あるいは衝撃緩和、車間距離に基づく追従走行、車速維持走行、車両の衝突警告、又は車両のレーン逸脱警告等を含むＡＤＡＳ（Advanced  Driver  Assistance  System）の機能実現を目的とした協調制御を行ってもよい。また、マイクロコンピュータ７６１０は、取得される車両の周囲の情報に基づいて駆動力発生装置、ステアリング機構又は制動装置等を制御することにより、運転者の操作に拠らずに自律的に走行する自動運転等を目的とした協調制御を行ってもよい。
【０１０６】
マイクロコンピュータ７６１０は、汎用通信Ｉ／Ｆ７６２０、専用通信Ｉ／Ｆ７６３０、測位部７６４０、ビーコン受信部７６５０、車内機器Ｉ／Ｆ７６６０及び車載ネットワークＩ／Ｆ７６８０のうちの少なくとも一つを介して取得される情報に基づき、車両と周辺の構造物や人物等の物体との間の３次元距離情報を生成し、車両の現在位置の周辺情報を含むローカル地図情報を作成してもよい。また、マイクロコンピュータ７６１０は、取得される情報に基づき、車両の衝突、歩行者等の近接又は通行止めの道路への進入等の危険を予測し、警告用信号を生成してもよい。警告用信号は、例えば、警告音を発生させたり、警告ランプを点灯させたりするための信号であってよい。
【０１０７】
音声画像出力部７６７０は、車両の搭乗者又は車外に対して、視覚的又は聴覚的に情報を通知することが可能な出力装置へ音声及び画像のうちの少なくとも一方の出力信号を送信する。図１２の例では、出力装置として、オーディオスピーカ７７１０、表示部７７２０及びインストルメントパネル７７３０が例示されている。表示部７７２０は、例えば、オンボードディスプレイ及びヘッドアップディスプレイの少なくとも一つを含んでいてもよい。表示部７７２０は、ＡＲ（Augmented  Reality）表示機能を有していてもよい。出力装置は、これらの装置以外の、ヘッドホン、搭乗者が装着する眼鏡型ディスプレイ等のウェアラブルデバイス、プロジェクタ又はランプ等の他の装置であってもよい。出力装置が表示装置の場合、表示装置は、マイクロコンピュータ７６１０が行った各種処理により得られた結果又は他の制御ユニットから受信された情報を、テキスト、イメージ、表、グラフ等、様々な形式で視覚的に表示する。また、出力装置が音声出力装置の場合、音声出力装置は、再生された音声データ又は音響データ等からなるオーディオ信号をアナログ信号に変換して聴覚的に出力する。
【０１０８】
なお、図１２に示した例において、通信ネットワーク７０１０を介して接続された少なくとも二つの制御ユニットが一つの制御ユニットとして一体化されてもよい。あるいは、個々の制御ユニットが、複数の制御ユニットにより構成されてもよい。さらに、車両制御システム７０００が、図示されていない別の制御ユニットを備えてもよい。また、上記の説明において、いずれかの制御ユニットが担う機能の一部又は全部を、他の制御ユニットに持たせてもよい。つまり、通信ネットワーク７０１０を介して情報の送受信がされるようになっていれば、所定の演算処理が、いずれかの制御ユニットで行われるようになってもよい。同様に、いずれかの制御ユニットに接続されているセンサ又は装置が、他の制御ユニットに接続されるとともに、複数の制御ユニットが、通信ネットワーク７０１０を介して相互に検出情報を送受信してもよい。
【０１０９】
なお、上述した車両制御システム７０００、例えば統合制御ユニット７６００は、上述実施の形態におけるカムコーダ３０１と同様の情報処理機能、すなわちネットワークを介してサーバに位置情報を送信し、その位置情報に基づいた情報をサーバからネットワークを介して受信する機能を持つ。このように車両制御システム７０００が本実施の形態に係るカムコーダ３０１と同様の情報処理機能を持つことで、以下のような適用が可能となる。なお、適用範囲は、これに限定されるものではない。
【０１１０】
（１）車が観光地に行った際に、当該車は観光地に適した設定情報をクラウドサーバからもらうために適用できる。例えば、設定情報は、車自体を機器と捉えた場合、車自体を設定（ライト、空調、速度など）するための情報であり、車に備えられたカメラを設定するための情報も含む。
【０１１１】
（２）あるユーザがレンタカーを借りた場合、そのユーザ固有の情報をクラウドサーバからもらってレンタカー（レンタカー備えられたカメラも含む）に反映させるために適用できる。例えば、ユーザ固有の情報として、ユーザに応じた座席設定情報、ユーザに応じた自動運転情報、ユーザに応じた推薦走行ルート情報、ユーザに応じたオーディオ環境情報など種々が考えられる。
【０１１２】
（３）駐車場で車を探す際に適用できる。ユーザとマッチングした車（または車に備えられたカメラ）を探すことが可能となる。
【０１１３】
（４）カーシェアリングにおけるセキュリティ対策に適用できる。本人が車の近くに行くことで鍵が開く、あるいは近くに行かないと車の鍵が開かないなどの制御が可能となる。
【０１１４】
（５）運転記録と個人情報の紐づけを行うために適用できる。ユーザの普段の生体情報のログを使い、疲れている場合に休憩することを勧めたり、気分転換を勧めたりすることができる。また、運転の仕方の評価に使うことができる。
【０１１５】
（６）自動車保険に適用できる。自動車保険では、実際に運転している人が誰であるかということが重要であり、その特定が可能となる。また、ドライバーの自動車の運転スキルに応じて保険の料金をかえることが可能となる。また、スマートフォンを使ってドライバーがだれかを判断することが可能となる。また、運転手の運転スキルによって車の各種設定を変えること、車載カメラの撮影モードや設定、記録のレートを上げることが可能となる。また、ドライバーが車に近づいたとき運転スキルを表示することが可能となる。
【０１１６】
（７）セキュリティ観点に適用できる。例えば、ドライバーが車を離れたらセンシング開始（カメラを起動して監視を開始）することが可能となる。
【０１１７】
また、本開示に係る技術は、上述した車載観点以外の応用も考えられる。例えば、防犯観点として、本開示に係る技術を適用することで、カメラとスマホが離れたらサーバに通知がいくようにすることが可能となる。また、例えば、メディカル観点として、病院で使用する各種機器と医者の情報のマッチングに使うことが可能であり、また、医療情報や薬などは対象の人がその場所に行かないと渡さないということで、本当にその場所にいるか判別する際に使うことが可能となる。
【０１１８】
＜４．変形例＞
なお、上述の実施の形態は、例示という形態で本技術を開示しており、本技術の要旨を逸脱しない範囲で当業者が実施の形態の修正や代用をなし得ることは自明である。すなわち、本技術の要旨を判断するためには、特許請求の範囲を参酌すべきである。
【０１１９】
また、本技術は、以下のような構成を取ることもできる。
（１）ネットワークを介してサーバに位置情報を送信する情報送信部と、
上記位置情報で示される位置の近傍に位置する携帯端末を所持する特定人に関連した情報を上記サーバから上記ネットワークを介して受信する情報受信部を備える
カメラ。
（２）上記特定人は、上記カメラを用いて取材をする取材者であり、
上記特定人に関連した情報は、上記取材者に係る取材情報であり、
上記受信された情報を、撮像クリップデータに付加するためのメタ情報として保持する情報保持部をさらに備える
前記（１）に記載のカメラ。
（３）上記特定人は、上記カメラを操作するカメラマンであり、
上記特定人に関連した情報は、上記カメラマンに係るカメラ設定情報であり、
上記受信された情報に基づいてカメラ設定を行うカメラ制御部をさらに備える
前記（１）または（２）に記載のカメラ。
（４）上記情報送信部は、電源オン時に上記位置情報を上記サーバに送る
前記（１）から（３）のいずれかに記載のカメラ。
（５）情報送信部が、ネットワークを介してサーバに位置情報を送信する情報送信部ステップと、
受信部が、上記位置情報で示される位置の近傍に位置する携帯端末を所持する特定人に関連した情報を上記サーバから上記ネットワークを介して受信する受信ステップを有する
カメラの処理方法。
（６）特定の複数人が所持する携帯端末および特定の一個または複数個のカメラとネットワークを通じて通信をする通信部と、
上記特定の複数人にそれぞれ関連した情報を保持する情報保持部と、
上記特定の一個または複数個のカメラのうちの一つのカメラからの位置情報があるとき、該位置情報と上記特定の複数人が所持する携帯端末からの位置情報に基づいて、上記一つのカメラの近傍に上記特定の複数人が所持する携帯端末のうちの一つが存在するマッチング状態にあるかを判断する状態判断部を備え、
上記通信部は、上記マッチング状態にあると判断されるとき、上記一つのカメラの近傍に位置する上記一つの携帯端末の所持者に関連した情報を上記一つのカメラに送信する
サーバ。
（７）上記特定の複数人は、それぞれ、上記一個または複数個のカメラのうちのいずれか一つを用いて取材をする取材者であり、
上記特定の複数人にそれぞれ関連した情報は、上記取材者に係る取材情報である
前記（６）に記載のサーバ。
（８）上記複数のカメラのうちどのカメラが上記マッチング状態にあるかを示すＵＩ画面の表示信号を生成する表示信号生成部をさらに備える
前記（６）または（７）に記載のサーバ。
（９）上記ＵＩ画面では、上記マッチング状態にあるカメラが、該カメラで取材される取材の情報と関連付けて示される
前記（８）に記載のサーバ。
（１０）上記特定の複数人は、それぞれ、上記一個または複数個のカメラのうちのいずれか一つを操作するカメラマンであり、
上記特定の複数人にそれぞれ関連した情報は、上記カメラマンに係るカメラ設定情報である
前記（６）から（１０）のいずれかに記載のサーバ。
（１１）通信部が、特定の複数人が所持する携帯端末および特定の一個または複数個のカメラとネットワークを通じて通信をする通信ステップと、
状態判断部が、上記特定の一個または複数個のカメラのうちの一つのカメラからの位置情報があるとき、該位置情報と上記特定の複数人が所持する携帯端末からの位置情報に基づいて、上記一つのカメラの近傍に上記特定の複数人が所持する携帯端末のうちの一つが存在するマッチング状態にあるかを判断する状態判断ステップを有し、
上記通信ステップでは、上記マッチング状態にあると判断されるとき、上記一つのカメラの近傍に位置する上記一つの携帯端末の所持者に関連した情報を上記一つのカメラに送信する
サーバの処理方法。
（１２）ネットワークを介してサーバに位置情報を送信する情報送信部と、
上記位置情報に対応した取材情報を上記サーバから上記ネットワークを介して受信する情報受信部を備える
カメラ。
（１３）上記情報送信部は、電源オン時に上記位置情報を上記サーバに送る
前記（１２）に記載のカメラ。
（１４）上記受信された取材情報を、撮像クリップデータに付加するためのメタ情報として保持する情報保持部をさらに備える
前記（１２）または（１３）に記載のカメラ。
（１５）情報送信部が、ネットワークを介してサーバに位置情報を送信する情報送信ステップと、
情報受信部が、上記位置情報に対応した取材情報を上記サーバから上記ネットワークを介して受信する情報受信ステップを有する
カメラの処理方法。
（１６）特定の一個または複数個のカメラとネットワークを通じて通信をする通信部と、
位置情報に関連付けて取材情報を保持する情報保持部を備え、
上記通信部は、上記特定の一個または複数個のカメラのうちの一つのカメラからの位置情報があるとき、該位置情報に対応する取材情報を上記一つのカメラに送信する
サーバ。
（１７）通信部が、特定の一個または複数個のカメラとネットワークを通じて通信をする通信ステップを有し、
上記通信ステップでは、上記特定の一個または複数個のカメラのうちの一つのカメラから位置情報があるとき、該位置情報に対応する取材情報を上記一つのカメラに送信する
サーバの処理方法。
【符号の説明】
【０１２０】
１０・・・カメラシステム
１０１・・・ニュースルームコンピュータシステム
１０２・・・クライアントＰＣ
１０３・・・クリップ受信サーバ
１０４・・・コンテンツマネジメントシステム
１０５・・・ネットワークインタフェース
２００・・・ネットワーク
２０１・・・クラウドサーバ
２１１・・・ＣＰＵ
２１２・・・ＲＯＭ
２１３・・・ＲＡＭ
２１４・・・入出力インタフェース
２１５・・・入力部
２１６・・・出力部
２１７・・・記憶部
２１８・・・ドライブ
２１９・・・ネットワークインタフェース
３０１・・・カムコーダ
３０２・・・スマートフォン（カメラマン）
３０３・・・スマートフォン（取材者）
３１１・・・制御部
３１１ａ・・・メモリ
３１２・・・ユーザ操作部
３１３・・・撮像部
３１４・・・撮像信号処理部
３１５・・・画像圧縮エンコーダ
３１６・・・記録部
３１７・・・位置情報取得部
３１８・・・ネットワークインタフェース
【図１】
2018123714.tif 000003
【図２】
2018123714.tif 000004
【図３】
2018123714.tif 000005
【図４】
2018123714.tif 000006
【図５】
2018123714.tif 000007
【図６】
2018123714.tif 000008
【図７】
2018123714.tif 000009
【図８】
2018123714.tif 000010
【図９】
2018123714.tif 000011
【図１０】
2018123714.tif 000012
【図１１】
2018123714.tif 000013
【図１２】
2018123714.tif 000014
【図１３】
2018123714.tif 000015
【国際調査報告】
2018123714.tif 000016
2018123714.tif 000017
2018123714.tif 000018
2018123714.tif 000019